(57)【要約】【課題】  異周波数間ハンドオーバ処理又は異システム間ハンドオーバ処理を実行するにあたっての測定期間において、受信できないマルチキャストデータが生じる可能性を低減する。【解決手段】  本発明は、複数のセルに対して複数の同一情報を送信する移動通信システムに関する。本発明に係る移動通信システムは、前記複数のセルの各々においてランダムに、又は、前記複数のセル間で異なるように、複数のセルの各々に対する前記同一情報の送信タイミングを決定する送信タイミング決定部１５と、決定された前記送信タイミングによって、前記複数のセルに対して前記同一情報を送信する送信部１６とを具備する。【選択図】  図２
2005333475.tif 000002
【特許請求の範囲】
【請求項１】
複数のセルに対して複数の同一情報を送信する移動通信システムであって、
ランダムに、又は、前記複数のセル間で異なるように、前記複数のセルの各々に対する前記同一情報の送信タイミングを決定する送信タイミング決定部と、
決定された前記送信タイミングによって、前記複数のセルに対して前記同一情報を送信する送信部とを具備することを特徴とする移動通信システム。
【請求項２】
移動局は、前記複数のセルから送信された複数の同一情報を用いて選択合成を行うことを特徴とする請求項１に記載の移動通信システム。
【請求項３】
前記移動局において複数の周波数における無線状態が測定される際に、前記送信部は、決定された前記送信タイミングによって前記複数のセルに対して前記同一情報を送信することを特徴とする請求項２に記載の移動通信システム。
【請求項４】
前記送信タイミング決定部は、前記同一情報の送信フレーム単位で、又は、前記同一情報のＴＴＩ単位で、前記同一情報の送信タイミングを決定することを特徴とする請求項１に記載の移動通信システム。
【請求項５】
前記複数のセルは、同一無線制御装置配下のセル又は同一基地局配下のセルであることを特徴とする請求項１に記載の移動通信システム。
【請求項６】
複数のセルに対して複数の同一情報を送信する無線制御装置であって、
ランダムに、又は、前記複数のセル間で異なるように、前記複数のセルの各々に対する前記同一情報の送信タイミングを決定する送信タイミング決定部と、
決定された前記送信タイミングによって、前記複数のセルに対して前記同一情報を送信する送信部とを具備することを特徴とする無線制御装置。
【請求項７】
前記複数のセルは、移動局において選択合成を行うことができるエリア内のセルであることを特徴とする請求項６に記載の無線制御装置。
【請求項８】
前記移動局において複数の周波数における無線状態が測定される際に、前記送信部は、決定された前記送信タイミングによって前記複数のセルに対して前記同一情報を送信することを特徴とする請求項７に記載の無線制御装置。
【請求項９】
前記送信タイミング決定部は、前記同一情報の送信フレーム単位で、又は、前記同一情報のＴＴＩ単位で、前記同一情報の送信タイミングを決定することを特徴とする請求項６に記載の無線制御装置。
【請求項１０】
前記複数のセルは、同一無線制御装置配下のセル又は同一基地局配下のセルであることを特徴とする請求項６に記載の無線制御装置。
【発明の詳細な説明】
【技術分野】
【０００１】
本発明は、複数のセルに対して複数の同一情報を送信する移動通信システム及び無線制御装置に関する。
【背景技術】
【０００２】
従来、複数のセル（又は、セクタ）に対して複数の同一情報（マルチキャストデータ又はブロードキャストデータ）を送信する移動通信システムが知られている。図７に、かかる移動通信システムの全体構成を示す。
【０００３】
図７に示すように、従来の移動通信システムは、コアネットワークＣＮと無線アクセスネットワークＲＡＮとを具備する。また、無線アクセスネットワークＲＡＮは、複数の無線制御装置ＲＮＣ＃１及び＃２と、複数のノードＢ（例えば、基地局）＃１ａ乃至＃２ｂとを具備している。
【０００４】
ここで、コアネットワークＣＮと無線制御装置ＲＮＣとの間は、Ｉｕインターフェイスによって接続されており、無線制御装置ＲＮＣ間は、Ｉｕｒインターフェイスで接続されており、無線制御装置ＲＮＣとノードＢとの間は、Ｉｕｂインターフェイスで接続されている。
【０００５】
また、移動機ＵＥは、複数のセルを介して、１つ又は複数のノードＢから送信された同一情報を受信するように構成されている。図７の例では、移動機ＵＥは、複数のセルを介して、ノードＢ＃１ａ及び＃１ｂから送信された同一情報を受信する。
【０００６】
また、従来の移動通信システムにおけるハンドオーバ処理として、同一周波数間（Ｉｎｔｒａ-ｆｒｅｑｕｅｎｃｙ）ハンドオーバ処理や異周波数間（Ｉｎｔｅｒ-ｆｒｅｑｕｅｎｃｙ）ハンドオーバ処理や異システム間（Ｉｎｔｅｒ-ＲＡＴ（Ｒａｄｉｏ  Ａｃｃｅｓｓ  Ｔｅｃｈｎｏｌｏｇｙ））ハンドオーバ処理等が知られている。ここで、異システム間ハンドオーバ処理の一例として、ＧＳＭシステムとＷ-ＣＤＭＡシステムとの間のハンドオーバ処理が知られている。
【０００７】
従来の移動通信システムは、各移動機ＵＥにおいて上述の同一周波数間ハンドオーバ処理を実行するか否かについて決定するために、各移動機ＵＥの在圏セルに隣接するセルにおける無線回線品質を測定するように構成されている。例えば、各移動機ＵＥは、在圏セルにおける無線回線品質が隣接セルにおける無線回線品質を下回る場合、上述の同一周波数間ハンドオーバ処理を実行して、無線アクセスネットワークＵＴＲＡＮとの通信に利用する無線回線を、在圏セルにおける無線回線から隣接セルにおける無線回線に変更するように構成されている。
【０００８】
また、従来の移動通信システムは、各移動機ＵＥに対して異周波数間ハンドオーバ処理又は異システム間ハンドオーバ処理を実行するためには、各移動機ＵＥが現在通信中である周波数とは異なる周波数における無線回線品質について測定する必要がある。
【０００９】
かかる異周波数間ハンドオーバ処理又は異システム間ハンドオーバ処理のための複数の周波数における無線回線品質の測定は、Ｉｎｔｅｒ-ｆｒｅｑｕｅｎｃｙ測定又はＩｎｔｅｒ-ＲＡＴ測定によって実現される。
【００１０】
かかるＩｎｔｅｒ-ｆｒｅｑｕｅｎｃｙ測定又はＩｎｔｅｒ-ＲＡＴ測定において、測定対象は、Ｐｒｉｍａｒｙ-ＣＰＩＣＨ（Ｃｏｍｍｏｎ  Ｐｉｌｏｔ  Ｃｈａｎｎｅｌ）であり、測定項目は、下りリンクのＥｃ/Ｉｏや、下りリンクの伝搬路（パス）損失や、下りリンクのＲＳＣＶ（Ｒｅｃｅｉｖｅｄ  Ｓｉｇｎａｌ  Ｃｏｄｅ  Ｐｏｗｅｒ）や、特定の物理チャネルにおける逆拡散後の下りリンクのＳＩＲ（Ｓｉｇｎａｌ-ｔｏ-Ｉｎｔｅｒｆｅｒｅｎｃｅ  Ｒａｔｉｏ）や、特定のＣＣＴｒＣＨ（Ｃｏｄｅｄ  Ｃｏｍｐｏｓｉｔｅ  Ｔｒａｎｓｐｏｒｔ  Ｃｈａｎｎｅｌ）に帰属する全ての下りリンクの符号の平均ＳＩＲ等である。
【００１１】
図８乃至図１０を参照して、従来の移動通信システムにおいて、移動機ＵＥに対して実行される異周波数間ハンドオーバ処理又は異システム間ハンドオーバ処理について、具体的に説明する。
【００１２】
図８に示すように、ステップＳ１００１において、無線アクセスネットワークＵＴＲＡＮは、移動機ＵＥに対して、測定要求（Ｍｅａｓｕｒｅｍｅｎｔ  Ｃｏｎｔｒｏｌ  Ｍｅｓｓａｇｅ）を送信することによって、Ｉｎｔｅｒ-ｆｒｅｑｕｅｎｃｙ測定又はＩｎｔｅｒ-ＲＡＴ測定を行うように指示する。ここで、かかる測定要求には、移動機ＵＥにおいて測定すべき測定項目や、無線アクセスネットワークＵＴＲＡＮに対して送信すべき報告項目等が含まれる。
【００１３】
ステップＳ１００２において、移動機ＵＥが、受信した測定要求に基づいて、Ｉｎｔｅｒ-ｆｒｅｑｕｅｎｃｙ測定又はＩｎｔｅｒ-ＲＡＴ測定を行う。以下、図９及び図１０を参照して、ステップＳ１００２における移動機ＵＥの動作について、具体的に説明する。
【００１４】
図９に示すように、ステップＳ１１０１において、移動機ＵＥは、Ｃｏｍｐｒｅｓｓｅｄモードを起動する。
【００１５】
図１０に、Ｃｏｍｐｒｅｓｓｅｄモードを起動している無線アクセスネットワークＵＴＲＡＮによるマルチキャストデータの送信タイミングを示す。すなわち、Ｃｏｍｐｒｅｓｓｅｄモードを起動している無線アクセスネットワークＵＴＲＡＮは、送信ギャップにおいて、マルチキャストデータを送信しないように構成されている。
【００１６】
図１０の例では、無線アクセスネットワークＵＴＲＡＮは、期間＃２及び＃７以外の期間において、複数のセルに対して、周波数ｆ１でマルチキャストデータ＃１乃至＃７を送信している。ここで、移動機ＵＥは、周波数ｆ１によって無線アクセスネットワークＵＴＲＡＮとの間で通信を行っているものとする。
【００１７】
ステップＳ１１０２（期間＃１）において、移動機ＵＥは、無線アクセスネットワークＵＴＲＡＮから周波数ｆ１で送信されているＰｒｉｍａｒｙ-ＣＰＩＣＨを監視して、測定要求によって指示された測定項目についての測定を行う。また、移動機ＵＥは、複数のセルから周波数ｆ１で送信された複数のマルチキャストデータ＃１を用いて選択合成を行う。
【００１８】
ステップＳ１１０３（期間＃２、送信ギャップ＃１）において、移動機ＵＥは、周波数ｆ１における無線アクセスネットワークＵＴＲＡＮとの間の通信を停止して、無線アクセスネットワークＵＴＲＡＮから周波数ｆ２で送信されているＰｒｉｍａｒｙ-ＣＰＩＣＨを監視して、測定要求によって指示された測定項目についての測定を行う。ここで、移動機ＵＥは、複数の周波数の信号を同時に受信する能力を具備していないものとする。
【００１９】
ステップＳ１１０４（期間＃３）において、移動機ＵＥは、周波数ｆ１における無線アクセスネットワークＵＴＲＡＮとの間の通信を再開して、複数のセルから周波数ｆ１で送信された複数のマルチキャストデータ＃１を用いて選択合成を行う。
【００２０】
ステップＳ１００３において、移動機ＵＥは、ステップＳ１００２において測定した結果に基づいて、測定要求により指示された報告項目を含む測定報告（Ｍｅａｓｕｒｅｍｅｎｔ  Ｒｅｐｏｒｔ）を生成して無線アクセスネットワークＵＴＲＡＮに送信する。
【００２１】
ステップＳ１００４において、無線アクセスネットワークＵＴＲＡＮが、受信した測定報告に基づいて、移動機ＵＥに対して、異周波数間ハンドオーバ処理又は異システム間ハンドオーバ処理を実行するように指示する。この結果、移動機ＵＥは、無線アクセスネットワークＵＴＲＡＮとの間で通信を行う周波数を、周波数ｆ１から周波数ｆ２に変更する。
【非特許文献１】３ＧＰＰ  ＴＳ  ２５.３２４  Ｖ.６.０.０、２００３年３月
【発明の開示】
【発明が解決しようとする課題】
【００２２】
しかしながら、従来の移動通信システムでは、異周波数間ハンドオーバ処理又は異システム間ハンドオーバ処理を実行する際に、移動機ＵＥにおいて、Ｉｎｔｅｒ-ｆｒｅｑｕｅｎｃｙ測定又はＩｎｔｅｒ-ＲＡＴ測定を行うために、一旦、無線アクセスネットワークＵＴＲＡＮとの間の通信を停止する必要がある。
【００２３】
また、移動機ＵＥごとにＣｏｍｐｒｅｓｓｅｄモードを起動するタイミングが異なっており、無線アクセスネットワークＵＴＲＡＮは、全ての移動機ＵＥに対して送信ギャップのタイミングを一致させることができない。
【００２４】
したがって、移動機ＵＥは、無線アクセスネットワークＵＴＲＡＮとの間の通信を停止している間、無線アクセスネットワークＵＴＲＡＮから送信されるマルチキャストデータを受信することができない可能性があるという問題点があった。
【００２５】
そこで、本発明は、以上の点に鑑みてなされたもので、Ｉｎｔｅｒ-ｆｒｅｑｕｅｎｃｙ測定又はＩｎｔｅｒ-ＲＡＴ測定を行う期間において、受信できないマルチキャストデータが生じる可能性を低減することができる移動通信システム及び無線制御装置を提供することを目的とする。
【課題を解決するための手段】
【００２６】
本発明の第１の特徴は、複数のセルに対して複数の同一情報を送信する移動通信システムであって、ランダムに、又は、前記複数のセル間で異なるように、前記複数のセルの各々に対する前記同一情報の送信タイミングを決定する送信タイミング決定部と、決定された前記送信タイミングによって、前記複数のセルに対して前記同一情報を送信する送信部とを具備することを要旨とする。
【００２７】
本発明の第１の特徴において、移動局は、前記複数のセルから送信された複数の同一情報を用いて選択合成を行うように構成されていてもよい。
【００２８】
本発明の第１の特徴において、前記移動局において複数の周波数における無線状態が測定される際に、前記送信部は、決定された前記送信タイミングによって前記複数のセルに対して前記同一情報を送信するように構成されていてもよい。
【００２９】
本発明の第１の特徴において、前記送信タイミング決定部は、前記同一情報の送信フレーム単位で、又は、前記同一情報のＴＴＩ単位で、前記同一情報の送信タイミングを決定するように構成されていてもよい。
【００３０】
本発明の第１の特徴において、前記複数のセルは、同一無線制御装置配下のセル又は同一基地局配下のセルであるように構成されていてもよい。
【００３１】
かかる発明によれば、移動局が、複数のセルを介して異なる送信タイミングで送信された複数の同一情報を用いて選択合成を行うことができるため、Ｉｎｔｅｒ-ｆｒｅｑｕｅｎｃｙ測定又はＩｎｔｅｒ-ＲＡＴ測定を行う期間において、受信できないマルチキャストデータが生じる可能性を低減することができる。
【００３２】
本発明の第２の特徴は、複数のセルに対して複数の同一情報を送信する無線制御装置であって、ランダムに、又は、前記複数のセル間で異なるように、前記複数のセルの各々に対する前記同一情報の送信タイミングを決定する送信タイミング決定部と、決定された前記送信タイミングによって、前記複数のセルに対して前記同一情報を送信する送信部とを具備することを要旨とする。
【００３３】
本発明の第２の特徴において、前記複数のセルは、移動局において選択合成を行うことができるエリア内のセルであるように構成されていてもよい。
【００３４】
本発明の第２の特徴において、前記移動局において複数の周波数における無線状態が測定される際に、前記送信部は、決定された前記送信タイミングによって前記複数のセルに対して前記同一情報を送信するように構成されていてもよい。
【００３５】
本発明の第２の特徴において、前記送信タイミング決定部は、前記同一情報の送信フレーム単位で、又は、前記同一情報のＴＴＩ単位で、前記同一情報の送信タイミングを決定するように構成されていてもよい。
【００３６】
本発明の第２の特徴において、前記複数のセルは、同一無線制御装置配下のセル又は同一基地局配下のセルであるように構成されていてもよい。
【発明の効果】
【００３７】
以上説明したように、本発明によれば、Ｉｎｔｅｒ-ｆｒｅｑｕｅｎｃｙ測定又はＩｎｔｅｒ-ＲＡＴ測定を行う期間において、受信できないマルチキャストデータが生じる可能性を低減することができる移動通信システム及び無線制御装置を提供することができる。
【発明を実施するための最良の形態】
【００３８】
（本発明の第１の実施形態に係る移動通信システム）
図１乃至図５を参照して、本発明の第１の実施形態に係る移動通信システムについて説明する。本実施形態に係る移動通信システムの全体構成は、上述の図７に示す構成と同一である。
【００３９】
本実施形態に係る移動通信システムは、１つ又は複数のノードＢ（例えば、基地局）によって管理されている複数のセル（又は、セクタ）に対して、複数の同一情報（ブロードキャストデータ又はマルチキャストデータ）を送信するように構成されている。
【００４０】
以下、本実施形態では、マルチキャストデータという表現には、ブロードキャストデータを含み、セルという表現には、セクタを含むものとする。
【００４１】
図１に示すように、本実施形態に係る無線制御装置ＲＮＣは、ハンドオーバ処理部１１と、測定要求送信部１２と、測定報告受信部１３と、パイロットチャネル送信部１４と、送信タイミング決定部１５と、マルチキャストデータ送信部１６とを具備している。
【００４２】
ハンドオーバ処理部１１は、測定報告受信部１３によって受信された測定報告に基づいて、移動機ＵＥにおいてハンドオーバ処理を行うように指示するものである。具体的には、ハンドオーバ処理部１１は、移動機ＵＥとの間の無線回線品質の測定結果に応じて、移動機ＵＥに対して、異周波数間ハンドオーバ処理又は異システム間ハンドオーバ処理を実行して、無線アクセスネットワークＵＴＲＡＮとの間の通信で用いる周波数を変更するように指示する。
【００４３】
測定要求送信部１２は、所定のタイミングで、移動機ＵＥに対して、測定項目や報告項目を示す測定要求（Ｍｅａｓｕｒｅｍｅｎｔ  Ｃｏｎｔｒｏｌ  Ｍｅｓｓａｇｅ）を送信することによって、異周波数間ハンドオーバ処理又は異システム間ハンドオーバ処理を実行するか否かについて判断するためのＰｒｉｍａｒｙ  ＣＰＩＣＨの測定を要求するものである。
【００４４】
また、測定要求送信部１２は、上述の測定要求によって、移動機ＵＥに対して、Ｃｏｍｐｒｅｓｓｅｄモードにおける送信ギャップのスロット数や送信ギャップ間の間隔や送信ギャップの繰り返し数等を指示することができる。
【００４５】
測定報告受信部１３は、移動機ＵＥから送信された測定報告（Ｍｅａｓｕｒｅｍｅｎｔ  Ｒｅｐｏｒｔ）を受信して、ハンドオーバ処理部１１に通知するものである。
【００４６】
パイロットチャネル送信部１４は、所定の周波数（例えば、周波数ｆ１及びｆ２）で、Ｐｒｉｍａｒｙ  ＣＰＩＣＨを送信するものである。本実施形態において、周波数ｆ１が、無線アクセスネットワークＵＴＲＡＮとの間の現在の通信において用いられている周波数であるものとする。
【００４７】
送信タイミング決定部１５は、マルチキャストデータ送信部１６によって複数のセルに対して送信されるマルチキャストデータの送信タイミングを決定するものである。
【００４８】
具体的には、送信タイミング決定部１５は、ランダムに、複数のセルの各々に対するマルチキャストデータの送信タイミングを決定するように構成されていてもよいし、複数のセル間で異なるように、複数のセルの各々に対するマルチキャストデータの送信タイミングを決定するように構成されていてもよい。
【００４９】
また、送信タイミング決定部１５は、マルチキャストデータの送信フレーム単位（例えば、１０ｍｓ単位）で、又は、マルチキャストデータのＴＴＩ単位（例えば、８０ｍｓ単位）で、マルチキャストデータの送信タイミングを決定するように構成されていてもよい。ここで、ＴＴＩとは、物理層におけるパケットの転送間隔を示す。
【００５０】
マルチキャストデータ送信部１６は、送信タイミング決定部１５によって決定された送信タイミングによって、複数のセルに対して、周波数ｆ１で同一のマルチキャストデータを送信するものである。
【００５１】
例えば、図２に示すように、マルチキャストデータ送信部１６は、送信タイミング決定部１５によって決定された送信タイミングによって、セルＡに対するマルチキャストデータの送信開始時間とセルＢに対するマルチキャストデータの送信開始時間との間に、４フレーム長分の時間差を設けるように構成されている。なお、図２の例では、送信ギャップの記載を省略している。
【００５２】
また、マルチキャストデータ送信部１６は、送信タイミング決定部１５によって決定された送信タイミングによって、セルＡに対するマルチキャストデータの送信開始時間とセルＢに対するマルチキャストデータの送信開始時間との間に、２ＴＴＩ分の時間差を設けるように構成されていてもよい。
【００５３】
また、マルチキャストデータ送信部１６は、移動機ＵＥにおいて選択合成を行うことができるエリア内の複数のセルに対して、異なる送信タイミングで、同一のマルチキャストデータを送信するように構成されていてもよい。
【００５４】
また、マルチキャストデータ送信部１６は、同一無線制御装置ＲＮＣ配下の複数のセル又は同一ノードＢ配下の複数のセルに対して、異なる送信タイミングで、同一のマルチキャストデータを送信するように構成されていてもよい。
【００５５】
また、マルチキャストデータ送信部１６は、移動機ＵＥにおいて複数の周波数ｆ１及びｆ２における無線回線品質（無線状態）が測定される際に、すなわち、測定要求送信部１２が移動機ＵＥに対してＩｎｔｅｒ-ｆｒｅｑｕｅｎｃｙ測定又はＩｎｔｅｒ-ＲＡＴ測定を行うように指示した際に、送信タイミング決定部１５によって決定された送信タイミングによって、複数のセルに対して同一のマルチキャストデータを送信するように構成されていてもよい。
【００５６】
図３に示すように、本実施形態に係る移動機ＵＥは、ハンドオーバ処理部３１と、測定要求受信部３２と、測定部３３と、測定報告送信部３４と、パイロットチャネル受信部３５と、マルチキャストデータ受信部３６とを具備している。
【００５７】
ハンドオーバ処理部３１は、無線アクセスネットワークＵＴＲＡＮからの指示に基づいてハンドオーバ処理を行うものである。具体的には、ハンドオーバ処理部３１は、無線アクセスネットワークＵＴＲＡＮからの指示に基づいて、異周波数間ハンドオーバ処理又は異システム間ハンドオーバ処理を実行して、無線アクセスネットワークＵＴＲＡＮとの間の通信で用いる周波数を変更する。なお、ハンドオーバ処理部３１は、測定部３３における測定結果に基づいて、ハンドオーバ処理を行うように構成されていてもよい。
【００５８】
測定要求受信部３２は、無線アクセスネットワークＵＴＲＡＮから送信された測定要求を受信して、測定部３３に通知するものである。
【００５９】
測定部３３は、所定の周波数（例えば、ｆ１及びｆ２）のＣＰＩＣＨを監視して、測定要求受信部３２から通知された測定要求で指定された測定項目についての測定を行うものである。
【００６０】
例えば、測定部３３は、Ｃｏｍｐｒｅｓｓｅｄモードにおける送信ギャップにおいて上述の測定を行うように構成されていてもよいし、任意のタイミングで上述の測定を行うように構成されていてもよい。
【００６１】
測定報告送信部３４は、測定部３３による測定結果に基づいて、上述の測定要求で指示された報告項目を含む測定報告を生成して送信するものである。
【００６２】
パイロットチャネル受信部３５は、無線アクセスネットワークＵＴＲＡＮから周波数ｆ１及びｆ２で送信されているＣＰＩＣＨを受信するものである。
【００６３】
マルチキャストデータ受信部３６は、複数のセルを介して、無線アクセスネットワークＵＴＲＡＮから周波数ｆ１で送信された複数の同一のマルチキャストデータを用いて選択合成を行うものである。
【００６４】
図４に示すように、例えば、マルチキャストデータ受信部３６は、ノードＢ＃１ａによって管理されているセルから受信したマルチキャストデータに係る信頼度情報と、ノードＢ＃１ｂによって管理されているセルから受信したマルチキャストデータに係る信頼度情報とを比較して、高い信頼度情報のマルチキャストデータを選択するように構成されている。
【００６５】
また、マルチキャストデータ受信部３６は、図２に示すように、期間＃１においてセルＡから送信されるマルチキャストデータ＃１及び期間＃５においてセルＢから送信されるマルチキャストデータ＃１のように、受信タイミングが異なる複数のマルチキャストデータを用いて選択合成を行うことができる。
【００６６】
図５を参照して、本実施形態に係る移動通信システムにおいて、無線アクセスネットワークＵＴＲＡＮが、セルＡ及びセルＢに対して、図２に示す送信タイミングで周波数ｆ１のマルチキャストデータを送信している場合に、移動機ＵＥが、Ｉｎｔｅｒ-ｆｒｅｑｕｅｎｃｙ測定又はＩｎｔｅｒ-ＲＡＴ測定を行う動作について説明する。ここで、移動機ＵＥは、複数の周波数ｆ１及びｆ２の信号を同時に受信する能力を具備していないものとする。
【００６７】
図５に示すように、ステップＳ２００１において、移動機ＵＥは、Ｃｏｍｐｒｅｓｓｅｄモードを起動する。
【００６８】
ステップＳ２００２（期間＃１）において、移動機ＵＥは、無線アクセスネットワークＵＴＲＡＮから周波数ｆ１で送信されているＰｒｉｍａｒｙ-ＣＰＩＣＨを監視して、測定要求によって指示された測定項目についての測定を行う。また、移動機ＵＥは、セルＡから周波数ｆ１で送信されたマルチキャストデータ＃１を受信する。
【００６９】
ステップＳ２００３（期間＃２）において、移動機ＵＥは、周波数ｆ１における無線アクセスネットワークＵＴＲＡＮとの間の通信を停止して、無線アクセスネットワークＵＴＲＡＮから周波数ｆ２で送信されているＰｒｉｍａｒｙ-ＣＰＩＣＨを監視して、測定要求によって指示された測定項目についての測定を行う。したがって、移動機ＵＥは、セルＡから周波数ｆ１で送信されたマルチキャストデータ＃２を受信することができない。
【００７０】
ステップＳ２００４（期間＃３）において、移動機ＵＥは、周波数ｆ１における無線アクセスネットワークＵＴＲＡＮとの間の通信を再開して、セルＡから周波数ｆ１で送信されたマルチキャストデータ＃３を受信する。
【００７１】
ステップＳ２００５（期間＃４）において、移動機ＵＥは、セルＡから周波数ｆ１で送信されたマルチキャストデータ＃４を受信する。
【００７２】
ステップＳ２００６（期間＃５）において、移動機ＵＥは、セルＡから周波数ｆ１で送信されたマルチキャストデータ＃５を受信するとともに、セルＢから周波数ｆ１で送信されたマルチキャストデータ＃１を受信する。
【００７３】
ここで、移動機ＵＥは、ステップＳ２００１においてセルＡから受信したマルチキャストデータ＃１とステップＳ２００６においてセルＢから受信したマルチキャストデータ＃１とを用いて、マルチキャストデータ＃１に対しての選択合成を行う。
【００７４】
ステップＳ２００７（期間＃６）において、移動機ＵＥは、セルＡから周波数ｆ１で送信されたマルチキャストデータ＃６を受信するとともに、セルＢから周波数ｆ１で送信されたマルチキャストデータ＃２を受信する。
【００７５】
ここで、移動機ＵＥは、ステップＳ２００２においてセルＡからマルチキャストデータ＃２を受信していないため、ステップＳ２００７においてセルＢから受信したマルチキャストデータ＃２を、受信したマルチキャストデータ＃２とする。
【００７６】
本実施形態に係る移動通信システムによれば、移動機ＵＥが、複数のセルＡ及びＢを介して異なる送信タイミングで送信された複数の同一のマルチキャストデータを用いて選択合成を行うことができるため、Ｉｎｔｅｒ-ｆｒｅｑｕｅｎｃｙ測定又はＩｎｔｅｒ-ＲＡＴ測定を行う期間において、受信できないマルチキャストデータが生じる可能性を低減することができる。
（本発明の第２の実施形態に係る移動通信システム）
図６を参照して、本発明の第２の実施形態に係る移動通信システムについて説明する。以下、本実施形態に係る移動通信システムについて、上述の第１の実施形態に係る移動通信システムとの相違点を主として説明する。
【００７７】
本実施形態に係る移動通信システムでは、無線アクセスネットワークＵＴＲＡＮは、複数のセルに対して、移動機ＵＥとの間の現在の通信に用いられている周波数ｆ１でマルチキャストデータを送信するとともに、他の周波数ｆ２でも同一のマルチキャストデータを送信するように構成されている。
【００７８】
図６を参照して、本実施形態に係る移動通信システムにおいて、無線アクセスネットワークＵＴＲＡＮが、セルＡ及びセルＢに対して、図２に示す送信タイミングで周波数ｆ１のマルチキャストデータを送信している場合に、移動機ＵＥが、Ｉｎｔｅｒ-ｆｒｅｑｕｅｎｃｙ測定又はＩｎｔｅｒ-ＲＡＴ測定を行う動作について説明する。ここで、移動機ＵＥは、複数の周波数ｆ１及びｆ２の信号を同時に受信する能力を具備していないものとする。
【００７９】
図６に示すように、ステップＳ３００１において、移動機ＵＥは、Ｃｏｍｐｒｅｓｓｅｄモードを起動する。
【００８０】
ステップＳ３００２（期間＃１）において、移動機ＵＥは、無線アクセスネットワークＵＴＲＡＮから周波数ｆ１で送信されているＰｒｉｍａｒｙ-ＣＰＩＣＨを監視して、測定要求によって指示された測定項目についての測定を行う。また、移動機ＵＥは、セルＡから周波数ｆ１で送信されたマルチキャストデータ＃１を受信する。
【００８１】
ステップＳ３００３（期間＃２）において、移動機ＵＥは、周波数ｆ１における無線アクセスネットワークＵＴＲＡＮとの間の通信を停止して、無線アクセスネットワークＵＴＲＡＮから周波数ｆ２で送信されているＰｒｉｍａｒｙ-ＣＰＩＣＨを監視して、測定要求によって指示された測定項目についての測定を行う。また、移動機ＵＥは、セルＡから周波数ｆ２で送信されたマルチキャストデータ＃１を受信する。
【００８２】
ステップＳ３００４（期間＃３）において、移動機ＵＥは、周波数ｆ１における無線アクセスネットワークＵＴＲＡＮとの間の通信を再開して、セルＡから周波数ｆ１で送信されたマルチキャストデータ＃３を受信する。
【００８３】
ステップＳ３００５（期間＃４）において、移動機ＵＥは、セルＡから周波数ｆ１で送信されたマルチキャストデータ＃４を受信する。
【００８４】
ステップＳ３００６（期間＃５）において、移動機ＵＥは、セルＡから周波数ｆ１で送信されたマルチキャストデータ＃５を受信するとともに、セルＢから周波数ｆ１で送信されたマルチキャストデータ＃１を受信する。
【００８５】
ここで、移動機ＵＥは、ステップＳ２００１においてセルＡから受信したマルチキャストデータ＃１とステップＳ２００６においてセルＢから受信したマルチキャストデータ＃１とを用いて、マルチキャストデータ＃１に対しての選択合成を行う。
【００８６】
ステップＳ３００７（期間＃６）において、移動機ＵＥは、セルＡから周波数ｆ１で送信されたマルチキャストデータ＃６を受信するとともに、セルＢから周波数ｆ１で送信されたマルチキャストデータ＃２を受信する。
【００８７】
ここで、移動機ＵＥは、ステップＳ３００２においてセルＡから周波数ｆ２で受信したマルチキャストデータ＃２とステップＳ３００７においてセルＢから周波数ｆ１で受信したマルチキャストデータ＃２とを用いて、マルチキャストデータ＃２に対しての選択合成を行う。
【図面の簡単な説明】
【００８８】
【図１】本発明の第１の実施形態に係る無線制御装置の機能ブロック図である。
【図２】本発明の第１の実施形態に係る無線制御装置によって送信されるマルチキャストデータの送信タイミングを示す図である。
【図３】本発明の第１の実施形態に係る移動機の機能ブロック図である。
【図４】本発明の第１の実施形態に係る移動機における選択合成を示す図である。
【図５】本発明の第１の実施形態に係る移動機の動作を示すフローチャートである。
【図６】本発明の第２の実施形態に係る移動機の動作を示すフローチャートである。
【図７】従来技術及び本発明に係る移動通信システムの全体構成図である。
【図８】従来技術及び本発明に係る移動通信システムの全体動作を示す図である。
【図９】従来技術に係る移動機の動作を示すフローチャートである。
【図１０】従来技術に係る無線制御装置によって送信されるマルチキャストデータの送信タイミングを示す図である。
【符号の説明】
【００８９】
ＲＮＣ…無線制御装置
ＵＥ…移動機
１１、３１…ハンドオーバ処理部
１２…測定要求送信部
１３…測定報告受信部
１４…パイロットチャネル送信部
１５…送信タイミング決定部
１６…マルチキャストデータ送信部
３２…測定要求受信部
３３…測定部
３４…測定報告送信部
３５…パイロットチャネル受信部
３６…マルチキャストデータ受信部
【図１】
2005333475.tif 000003
【図２】
2005333475.tif 000004
【図３】
2005333475.tif 000005
【図４】
2005333475.tif 000006
【図５】
2005333475.tif 000007
【図６】
2005333475.tif 000008
【図７】
2005333475.tif 000009
【図８】
2005333475.tif 000010
【図９】
2005333475.tif 000011
【図１０】
2005333475.tif 000012